(57)【特許請求の範囲】
【請求項１】
原稿データを入力する入力手段と、
入力された原稿データを複数記憶する記憶手段と、
該記憶手段に記憶された原稿データを順次出力する出力手段と、
原稿データが複写が禁止されている原稿のデータあるいは特定原稿のデータに該当するか否かにより原稿データの内容が適正であるか否かを判定する判定手段と、
前記入力手段により入力された原稿データのうちの少なくとも１つについて、前記判定手段により適正でないと判定された場合には、その原稿データまたはその原稿データを少なくとも含む複数の原稿データが出力待ちの原稿データまたはジョブよりも優先的に出力されるように、前記出力手段を制御する優先出力制御手段と、
を備えたことを特徴とする画像形成装置。
【請求項２】
原稿データを入力する入力手段と、
入力された原稿データを複数記憶する記憶手段と、
該記憶手段に記憶された原稿データを順次出力する出力手段と、
原稿データに対して設定されているモードが適正であるか否かを判定する判定手段と、
前記入力手段により入力された原稿データのうちの少なくとも１つについて、前記判定手段により適正でないと判定された場合には、その原稿データまたはその原稿データを少なくとも含む複数の原稿データが出力待ちの原稿データまたはジョブよりも優先的に出力されるように、前記出力手段を制御する優先出力制御手段と、
を備えたことを特徴とする画像形成装置。
【請求項３】
前記判定手段は、原稿データがモノクロ原稿であり設定されているモードがカラーモードであるとき適正でないと判定する請求項２に記載の画像形成装置。
【請求項４】
前記判定手段により適正でないと判定された場合、前記優先出力制御手段は、その原稿データに所定の加工を施した状態で、その原稿データまたはその原稿データを少なくとも含む複数の原稿データを前記出力手段に出力させる請求項１ないし３の何れかに記載の画像形成装置。
【請求項５】
前記出力手段による出力動作が行われている状態で、前記判定手段により適正でないと判定された場合には、前記優先出力制御手段は、前記出力手段の出力動作を停止させて、前記原稿データを優先的に出力させる請求項１ないし４の何れかに記載の画像形成装置。
【請求項６】
前記判定手段により適正でないと判定された場合、その旨を警告する警告手段を有する請求項１ないし５の何れかに記載の画像形成装置。
【発明の詳細な説明】
【０００１】
【発明の属する技術分野】
この発明は、デジタル複写機、プリンタ等の画像形成装置に関する。
【０００２】
【従来の技術および発明が解決しようとする課題】
上記のような画像形成装置として、マルチジョブ機能を有するものが知られている。このマルチジョブ機能とは、原稿データ入力手段により入力されたジョブの原稿データを出力手段で出力中に、別の新たなジョブの原稿データを入力できる機能であり、入力手段による原稿データの入力動作と出力手段による出力動作とが、非同期に行われるものである。
【０００３】
ところが、そのようなマルチジョブ機能を有する画像形成装置において、出力待ちのジョブが既に存在しているような場合には、その後に入力された原稿データがすぐに出力されないため、入力された原稿データに対して、設定されているモードが適正か否かを即座に判断することができなかった。例えば、原稿データが入力された結果、その原稿データがモノクロ原稿のデータであるにもかかわらず、モードが「カラーモード」に設定されていたような場合、ユーザは「カラーモード」設定になっていることを即座には判断できなかった。
【０００４】
また、入力された原稿データが紙幣や有価証券のようなコピーが禁止されている原稿のデータであることを検出した場合であっても、誰がそのコピーを指示したのかがわかりにくく、その不正コピー者を迅速に特定することが困難であるという問題があった。例えば、先にコピーを指示したユーザが不正コピーを行った状態で次のユーザが原稿データの入力動作を開始させた場合、次のユーザが不正コピー者と誤解されてしまう可能性があるし、その逆の場合もある。また、正当なユーザが不正コピーを行ったという疑いをかけられたとしても、自分の出力がなかなか行われないとすると、その疑いを迅速に晴らすことができなかった。
【０００５】
なお、このような問題点は、マルチジョブ機能ではなく、原稿データの入力動作と出力動作とが同期して行われるシングルジョブモードで動作する画像形成装置においても、同様に生じるものであった。例えば、多数の原稿に混在させて紙幣等を不正コピーしたような場合には、入力された原稿データが紙幣等のデータであることを検出したとしても、それが出力されるまでに時間がかかり、不正コピーの事実を迅速に把握することができなかった。
【０００６】
この発明は、上述の問題に鑑みてなされたものであって、入力された原稿データに対して、設定されているモードが適正であるか否かを迅速に判断することができるとともに、不正コピー等の不正な画像形成の指示が行われた場合にその事実や不正者を迅速に把握特定することができる画像形成装置の提供を目的とする。
【０００７】
【課題を解決するための手段】
この発明は、上記目的を達成するために、原稿データを入力する入力手段と、入力された原稿データを複数記憶する記憶手段と、該記憶手段に記憶された原稿データを順次出力する出力手段と、原稿データに対して設定されているモードが適正であるか否かを判定し、または、原稿データが複写が禁止されている原稿のデータあるいは特定原稿のデータに該当するか否かにより原稿データの内容が適正であるか否かを判定する判定手段と、前記入力手段により入力された原稿データのうちの少なくとも１つについて、前記判定手段により適正でないと判定された場合には、その原稿データまたはその原稿データを少なくとも含む複数の原稿データが出力待ちの原稿データまたはジョブよりも優先的に出力されるように、前記出力手段を制御する優先出力制御手段と、を備えたことを特徴とする。
【０００８】
この画像形成装置では、入力手段により入力された原稿データのうちの少なくとも１つについて、設定されているモードまたは原稿データの内容が適正でないと判定された場合に、その原稿データまたはその原稿データを少なくとも含む複数の原稿データが出力待ちの原稿データまたはジョブよりも優先的に出力されるので、ユーザは、入力された原稿データに対して、設定モードが適正か否かを迅速に判断することができ、または不正コピー等が行われた場合にその事実や不正者を迅速に把握特定することができる。
【０００９】
前記画像形成装置において、前記判定手段により適正でないと判定された場合、前記優先出力制御手段は、その原稿データに所定の加工を施した状態で、その原稿データまたはその原稿データを少なくとも含む複数の原稿データを前記出力手段に出力させる構成としても良い。
【００１０】
これによれば、設定モードや原稿データの内容が適正でないと判定された場合、その原稿データに対して所定の加工を施した状態で優先的に出力するので、設定モードが適正か否かの判断や不正者の特定等をより簡単かつ迅速に行うことができる。
【００１１】
また、前記出力手段による出力動作が行われている状態で、前記判定手段により適正でないと判定された場合には、前記優先出力制御手段は、前記出力手段の出力動作を停止させて、前記原稿データを優先的に出力させる構成としても良い。
【００１２】
これによれば、適正でないと判定された原稿データを出力するにあたって、出力手段による既に行われている出力動作を停止させて、対応原稿データを優先的に出力させるので、ユーザは前記原稿データの出力物をより迅速に入手でき、モードの適正判断や不正者の特定等をさらに迅速に行うことができる。
【００１３】
また、前記判定手段により適正でないと判定された場合、その旨を警告する警告手段を有する構成としても良い。
【００１４】
これによれば、判定手段により適正でないと判定されると、原稿データの優先出力とともに、警告もなされることから、ユーザは、モードの適正判断や不正者の特定等をより確実に行うことができる。
【００１５】
【発明の実施の形態】
次にこの発明の一実施形態に係る画像形成装置としての複写機について、図面を参照しつつ説明する。
＜複写機全体構成＞
図１は、複写機の全体構成を示す図である。
【００１６】
この複写機は、原稿を読み取る読み取り手段としてのイメージリーダ部１００と、該イメージリーダ部１００で読み取られた原稿データに基づいて、用紙上に画像を出力するプリンタ部２００と、各種操作を行うための操作パネル部４０とを備えてなる。前記イメージリーダ部１００がデータ入力手段として機能する。また、この複写機は、イメージリーダ部１００による読み取り動作とプリンタ部２００による出力動作とが同期して行われるシングルジョブモードで動作するのはもとより、イメージリーダ部１００による読み取り動作とプリンタ部２００による出力動作とが非同期に行われ機能、つまりイメージリーダ部１００で読み取ったあるジョブの原稿データをプリンタ部２００で出力中に、別の新たなジョブの原稿をイメージリーダ部１００で読み取ることができるマルチジョブ機能をも備えている。
【００１７】
なお、原稿データはイメージリーダ部１００で読み取られたものに限定されることはなく、複写機をネットワークを介してパーソナルコンピュータと通信可能に接続し、パーソナルコンピュータから送られてきた原稿データを、複写機内の入力手段により入力する構成であっても良い。
【００１８】
前記イメージリーダ部１００において、上部に設けられた自動原稿搬送装置１は、原稿トレイ１ａに載置された原稿を順に原稿台ガラス２上に搬送する。この自動原稿搬送装置１は、原稿トレイ１ａ上に載置されている原稿の有無を検出するセンサ１ｂと、自動原稿搬送装置１の開閉を検出するセンサ（図示略）とを備える。なお、原稿は、自動原稿搬送装置１を持ち上げて原稿台ガラス２上に直接載置されてもよい。
【００１９】
前記自動原稿搬送装置１により原稿台ガラス２上に搬送された原稿は、スキャナ１０が備えるランプ３により照射される。原稿面からの反射光は、ミラー４、５及び６を介してレンズ７により３ラインのフルカラーＣＣＤセンサ８上に像を結ぶ。フルカラーＣＣＤセンサ８は、原稿からの反射光をＲ、Ｇ、Ｂの電気信号に変換して信号処理部１１に出力する。前記スキャナー１０は、一定の速度Ｖで副走査方向（図１の矢印方向）に移動して原稿全体を走査し、そのスキャナー１０の移動に伴い、ミラー５、６が格納されたミラーボックス９がＶ／２の速度で副走査方向に移動する。前記信号処理部１１は、フルカラーＣＣＤセンサ８から入力されるＲ、Ｇ、Ｂの画像データをシアン、マゼンタ、イエロー、ブラックの各色成分に変換し、変換した各色成分のデータを画像メモリ３０４（図３参照）を介して、一複写ごとに順にレーザ制御部１２に出力する。
【００２０】
また、前記イメージリーダ部１００は、読み取った原稿が複写が禁止されている紙幣や有価証券等（以下、特定原稿という）であることを検出するできるようになっている。この点については後述する。
【００２１】
前記プリンタ部２００において、前記レーザ制御部１２は、入力されるデータに応じてレーザダイオード駆動信号を生成し、そのレーザダイオード駆動信号によりレーザダイオード１２ａを発光させる。レーザダイオード１２ａの発光したレーザ光は、ポリゴンミラー１３、ｆ−θレンズ１４、折り返しミラー１５、１６を介して感光体ドラム１７の表面を走査する。
【００２２】
前記感光体ドラム１７の表面は、一複写ごとに露光を受ける前にイレーサランプ２３で照射され、帯電チャージャ２２により一様に帯電されている。この状態で露光を受けると、前記感光体ドラム１７の表面には原稿データの静電潜像が形成される。シアン、マゼンタ、イエロー、ブラックのそれぞれの色のトナー現像器１８〜２１のうち、まず、シアンのトナー現像器１８が選択され、感光体ドラム１７上の静電潜像を現像する。
【００２３】
そして、給紙カセット３０〜３２から適当な用紙が搬送され、搬送ローラ２８に対向して設けられている静電吸着チャージャ２７により転写ドラム２４に吸着される。感光体ドラム１７上に現像されたシアンのトナー像は、転写チャージャ２６により転写ドラム２４上に巻き付けられた複写紙に転写される。
【００２４】
そして、シアンに続いて、マゼンタ、イエロー、ブラックのトナー現像器が順に選択され、感光体ドラム１７の帯電、露光、およびトナー現像が行われる。感光体ドラム１７上に現像された各色のトナー像は、前記転写ドラム２４に巻き付けられた複写紙上に順に重ねて転写される。４色分のトナー像が転写された複写紙は、転写ドラム２４の表面が分離除電チャージャ２５により除電されることにより表面から分離し、定着装置２９を通って定着された後にトレイ３３から排出される。
【００２５】
また、前記プリンタ部２００は、前記イメージリーダ部１００において前記特定原稿であることが検出された場合に、特定原稿の原稿データに対してブラックアウト処理（原稿全面を灰色に塗りつぶす処理）を行い、そのブラックアウト処理された原稿データを優先的に出力するようになっている。この点についても後述する。
【００２６】
図２は、操作パネル部４０の正面図である。
【００２７】
この操作パネル部４０は、動作モード、紙詰まりや用紙切れのメッセージを表示したり、メッセージに応じて動作モードを設定するためのタッチキーを表示する液晶タッチパネル（以下、ＬＣＤという）４１と、コピー枚数を設定するテンキー４２と、コピー枚数を１にリセットするクリアキー４３と、コピーを開始するスターキー４４と、コピー動作を停止するストップキー４５と、濃度やコピー倍率等のコピー条件を標準値に戻すパネルリセットキー４６とを備える。
【００２８】
この実施形態では、前記イメージリーダ部１００により、読み取った原稿が前記特定原稿であると判定された場合に、前記ＬＣＤ４１には図４に示すような警告画面が表示されるようになっている。
＜制御ブロック＞
図３は、複写機の制御ユニットを示す図である。
【００２９】
３００は、中央演算処理装置（以下、ＣＰＵという）であり、このＣＰＵ３００は、各部を統括的に制御するとともに、所定の原稿データをプリンタ部２００に優先的に出力させる優先出力制御手段、及び原稿データの内容が適正であるか否かを判定する判定手段として機能する。ＣＰＵ３００は、操作パネル部４０、イメージリーダ部１００、プリンタ部２００、制御プログラムを格納しているＲＯＭ３０１、操作パネル部４０により設定されたコピー枚数や、コピーモード等のコピー条件のデータや、ジョブ管理テーブルを記憶するＲＡＭ３０２、バックアップ用の不揮発性メモリ３０３、イメージリーダ部１００で読み取られた原稿データを一時的に記憶する画像メモリ３０４、電源ユニット３０５、ハイパーネーション機能やオートパワーオフ機能を働かすタイミングを計測するタイマー３０６、ネットワークに接続され、ネットワークとの間の通信制御や、ネットワークとのデータ送受信管理・解析処理や、電子メールの送受信制御・解析処理を行うネットワークインターフェース（ＩＦ）処理部３０８、およびその他の制御部３０７に接続される。
【００３０】
前記ＣＰＵ３００は、機能的には、ジョブを管理するジョブ管理部３００ａ、操作パネル部４０を制御するパネル制御処理部３００ｂ、イメージリーダ部１００を制御する読み取り制御処理部３００ｃ、プリンタ部２００を制御するプリント制御処理部３００ｄをそれぞれ有している。前記各処理部の機能については、フローチャートを用いて後述する。
【００３１】
前記操作パネル部４０、イメージリーダ部１００、およびプリンタ部２００は、それぞれ制御手段としてのＣＰＵ４０ａ、１００ａ、２００ａを備え、独立に動作するもので、それぞれＣＰＵ３００のジョブ管理部３００ａ、パネル制御処理部３００ｂ、読み取り制御処理部３００ｃ、プリント制御処理部３００ｄと通信ドライバを介してシリアル通信を行い、データやコマンドのやりとりを行う。前記イメージリーダ部１００により読み取られた原稿データ／またはネットワークＩＦ処理部３０８から入力された原稿データは、一旦画像メモリ３０４に記憶され、必要に応じてプリンタ部２００に出力される。なお、パーソナルコンピュータからネットワークを介して送られてきた原稿データを処理する場合には、前記ネットワークＩＦ処理部３０８が原稿データの入力手段として機能する。
【００３２】
前記イメージリーダ部１００は、前述したように、読み取った原稿が特定原稿である（原稿が適正でない）ことを検出する特定原稿検出部１０１を有している。この特定原稿の検出は、例えば、特定原稿の特徴的ないつくかの部分の画像パターンをメモリ（図示せず）に記憶させておき、読み取った原稿データとメモリに記憶されている画像パターンとを比較することによって行うことができる。その原稿が特定原稿であることを検出した場合、ＣＰＵ１００ａは、前記ＣＰＵ３００の読み取り制御処理部３００ｃにその旨の特定原稿検出情報を通知する。
【００３３】
前記ＲＡＭ３０２に記憶されているジョブ管理テーブルは、マルチジョブ機能を実現するためのジョブ管理に用いられるテーブルである。このジョブ管理テーブルは、図５に示すように、ジョブNo.、ジョブの種類（アプリケーション情報）、読み取りジョブの状態を示す読み取りジョブ状態情報、プリントジョブの状態を示すプリントジョブ状態情報、さらに特定原稿検出時にセットされるブラック（ＢＫ）マーク有無情報等の項目から構成される。これらの項目については、後述する処理により各内容が書き込まれ、あるいは書き込まれた内容が参照される。なお、ジョブとは、ユーザによる１回の要求で行われる作業をいい、例えばコピージョブは読み取りジョブとプリントジョブとからなり、ネットワークを介してパーソナルコンピュータ（以下、ＰＣという）から指示されたプリントジョブ（ＰＣプリントジョブ）については、読み取りジョブは存在せずプリントジョブのみからなる。
【００３４】
前記画像メモリ３０４は、十分な容量を有し、複数枚の原稿データを記憶することができる。また、ＣＰＵ３００は、電源を切る際に、ＲＡＭ３０２に記憶されているジョブ管理テーブルや各ジョブのモード、さらには画像メモリ３０４に記憶されている原稿データ等の画像形成に関するデータ等をバックアップ用の不揮発性メモリ３０３に転送して記憶せしめる。そして、ＣＰＵ３００は、次の電源投入時において、必要に応じて不揮発性メモリ３０３に記憶されている画像形成に関するデータに基づいて、電源が切れる直前の状態を再現する。
【００３５】
次に前記複写機の動作について説明する。なお、以下の説明および図面において「ステップ」を「Ｓ」と略記する
＜全体制御処理＞
図６は、前記ＣＰＵ３００による複写機の全体制御処理のメインルーチンを示すフローチャートである。
【００３６】
まず、Ｓ００１において、前記ＣＰＵ３００は、電源が投入されたあと、ＲＡＭ３０２やタイマー３０６を初期化し、Ｓ００２に進む。
【００３７】
Ｓ００２では、前記ＣＰＵ３００は、１ルーチンの長さを規定する内部タイマー（図示略）のセットを行い、Ｓ００３に進む。
【００３８】
Ｓ００３では、前記ＣＰＵ３００は、ネットワークに関する処理を行い、Ｓ００４に進む。
【００３９】
Ｓ００４では、前記ＣＰＵ３００は、前記ジョブ管理テーブルを用いて読み取りジョブやプリントジョブのジョブ管理に関する処理（ジョブ管理処理）を行い、Ｓ００５に進む。
【００４０】
Ｓ００５では、前記ＣＰＵ３００は、操作パネル部４０の表示や入力に関する処理（パネル表示／入力処理）を行い、Ｓ００６に進む。
【００４１】
Ｓ００６では、前記ＣＰＵ３００は、ジョブ管理テーブルに基づいて読み取り制御に関する処理（読み取り制御処理）を行い、Ｓ００７に進む。
【００４２】
Ｓ００７では、前記ＣＰＵ３００は、ジョブ管理テーブルに基づいてプリント制御に関する処理（プリント制御処理）を行い、Ｓ００８に進む。
【００４３】
Ｓ００８では、前記ＣＰＵ３００は、その他の処理を行い、Ｓ００９に進む。
【００４４】
Ｓ００９では、前記ＣＰＵ３００は、内部タイマーが終了したか否か、即ち内部タイマーが前記Ｓ００２の処理でセットした時間を経過したか否かを判定し、内部タイマーが終了したと判定した場合は（Ｓ００９でＹＥＳ）、前記Ｓ００１の処理に戻る。一方、内部タイマーが終了していないと判定した場合は（Ｓ００９でＮＯ）、この判定処理を繰り返す。
【００４５】
こうして、初期化、内部タイマーセット、ネットワーク処理、ジョブ管理処理、パネル表示／入力処理、読み取り制御処理、プリント制御処理などの一連の処理が順に行われる。
＜ジョブ管理処理＞
図７は、前記ＣＰＵ３００のジョブ管理部３００ａによるジョブ管理処理（図７のＳ００４）のサブルーチンを示すフローチャートである。
【００４６】
Ｓ１０１において、前記ジョブ管理部３００ａは、ジョブ管理テーブルの変更要求が存在するか否かを判定し、ジョブ管理テーブルの変更要求が存在すると判定した場合は（Ｓ１０１でＹＥＳ）、Ｓ１０２に進み、ジョブ管理テーブルを変更したあと、Ｓ１０３に進む。一方、ジョブ管理テーブルの変更要求が存在しないと判定した場合は（Ｓ１０１でＮＯ）、そのままＳ１０３に進む。
【００４７】
このジョブ管理テーブルの変更要求とは、操作パネル部４０やネットワークＩＦ処理部３０８からの新規ジョブ登録要求、ジョブ停止要求あるいはジョブ破棄（キャンセル）要求等のジョブ管理テーブルの内容変更を求めることをいう。例えば、操作パネル部４０やネットワークＩＦ処理部３０８から新規ジョブ登録要求が存在する場合、前記ジョブ管理部３００ａは、ジョブ管理テーブルに新たにジョブ管理情報を登録する（図７ではジョブNo.３）。
【００４８】
この新規ジョブが登録されると、読み取りジョブ状態情報とプリントジョブ状態情報は共に「待ち状態」となり、後述する処理によりジョブが実行を開始されることで別の状態、例えば、読み取り中、読み取り終了、読み取りエラー発生、プリント中、プリント停止中、プリントエラー停止中などの状態に移行する。また、ジョブNo.については一義的に連続番号が付加されるものとする。なお、以下の記載あるいは図面においては、「読み取り」を「スキャン」ともいう。
【００４９】
Ｓ１０３では、前記ジョブ管理部３００ａは、読み取りジョブの状態をチェックするために、イメージリーダ部１００による読み取りジョブの実行中であるか否かを判定する。
【００５０】
読み取りジョブの実行中である場合は（Ｓ１０３でＹＥＳ）、Ｓ１０４で、前記ジョブ管理部３００ａは、読み取り実行中のジョブについて、ジョブ管理テーブルの読み取りジョブ状態情報を「スキャン中」に更新し、Ｓ１０７に進む。このとき、読み取り実行中のジョブについて、特定原稿の検出等によりスキャンエラーが発生している（以下、読み取りＮＧともいう）場合は、前記特定原稿検出部１０１からの特定原稿検出情報に基づいて、その読み取りジョブにおいてどの原稿がスキャンエラーの対象になっているかをジョブ管理テーブルに書き込む。たとえば、図５のジョブNo.３のブラックマーク（ＢＫマーク）列欄に「原稿３枚目」と書き込まれ、３枚目の原稿が特定原稿であったことがわかるようになっている。
【００５１】
一方、Ｓ１０３の処理において、読み取りジョブの実行中でない場合は（Ｓ１０３でＮＯ）、Ｓ１０５に進む。
【００５２】
Ｓ１０５では、前記ジョブ管理部３００ａは、ジョブ管理テーブルを参照して、読み取り待ちのジョブが存在する否かを判定する。読み取り待ちのジョブが存在すると判定した場合は（Ｓ１０５でＹＥＳ）、Ｓ１０６で、読み取り待ちのジョブについての読み取りのスタート要求を読み取り制御処理部３００ｃに送出したのち、Ｓ１０７に進む。一方、読み取り待ちのジョブが存在しないと判定した場合は（Ｓ１０５でＮＯ）、そのままＳ１０７に進む。
【００５３】
Ｓ１０７では、前記ジョブ管理部３００ａは、ジョブ管理テーブルを参照して、読み取りＮＧのジョブが有るか否かを判定し、読み取りＮＧのジョブが有ると判定した場合は（Ｓ１０７でＹＥＳ）、Ｓ１０８で、後述する「読み取りＮＧジョブ発生時のプリントジョブ管理処理」を行ったのち、リターンする。
【００５４】
一方、前記Ｓ１０７の処理において、読み取りＮＧのジョブが無いと判定した場合は（Ｓ１０７でＮＯ）、Ｓ１０９で、前記ジョブ管理部３００ａは、プリンタ部２００によるプリントジョブの実行中であるか否かを判定する。プリントジョブの実行中であると判定した場合は（Ｓ１０９でＹＥＳ）、そのプリントジョブについてのジョブ管理テーブルのプリントジョブ状態情報を、「プリント中」に更新した後、リターンする。一方、プリントジョブの実行中でないと判定した場合は（Ｓ１０９でＮＯ）、Ｓ１１１で、ジョブ管理テーブルを参照して、プリント待ちのジョブが存在するか否かを判定する。
【００５５】
プリント待ちのジョブが存在すると判定した場合は（Ｓ１１１でＹＥＳ）、Ｓ１１２で、プリント待ちのジョブについてプリントのスタート要求をプリント制御処理部３００ｄに送出したのち、リターンする。一方、プリント待ちのジョブが存在しないと判定した場合は（Ｓ１１１でＮＯ）、そのままリターンする。
＜読み取りＮＧジョブ発生時のプリントジョブ管理処理＞
図８は、前記ＣＰＵ３００のジョブ管理部３００ａによる読み取りＮＧジョブ発生時のプリントジョブ管理処理（図７のＳ１０８）のサブルーチンを示すフローチャートである。
【００５６】
本処理はステート（Ｓｔａｔｅ）にて管理されており、ステートに沿って分割処理を行う。
【００５７】
Ｓ４０１において、前記ジョブ管理部３００ａは、ステートが０、１、あるいは２のいずれかを判定し、ステートが０である場合は、Ｓ４０２に進む。
【００５８】
Ｓ４０２では、前記ジョブ管理部３００ａは、現在動作中のプリントジョブ（以下、カレントプリントジョブという）に対する停止要求をプリンタ制御処理部３００ｄに送出し、Ｓ４０３に進む。この処理によれば、特定原稿の検出による読み取りＮＧジョブが存在する場合に、プリンタ部２００における現在のプリント動作を速やかに停止させることができる。
【００５９】
Ｓ４０３では、前記ジョブ管理部３００ａは、ステートを１にセットし、リターンする。
【００６０】
また、前記Ｓ４０１の判定処理においてステートが１の場合、Ｓ４０４で前記ジョブ管理部３００ａは、前記カレントプリントジョブの停止が実行されたか否かを判定し、カレントプリントジョブの停止が実行されたと判定した場合は（Ｓ４０４でＹＥＳ）、Ｓ４０５に進む。一方、停止が実行されていないと判定した場合はそのままリターンする。
【００６１】
Ｓ４０５では、前記ジョブ管理部３００ａは、読み取りＮＧジョブがカレントプリントジョブと同一であるか否かを判定する。同一であると判定した場合は（Ｓ４０５でＹＥＳ）、読み取りとプリントが同期しているシングルジョブモードと認識し、Ｓ４０６で、カレントプリントジョブがそのままプリントされるように、プリントスタート要求をプリント制御処理部３００ｄに送出し（再起動）、Ｓ４０８に進む。なお、このとき、読み取りＮＧジョブのうち、検出された特定原稿の原稿データを含む読み取り済みの複数の原稿データを全てプリントさせるものとしても良いし、あるいは検出された特定原稿の原稿データのみを一つのジョブとして新規登録し直すことにより、特定原稿の原稿データのみのプリントを可能としてもよい。この場合、他の原稿データは破棄すればよい。
【００６２】
一方、Ｓ４０５において、読み取りＮＧジョブがカレントプリントジョブと同一でないと判定した場合（Ｓ４０５でＮＯ）、マルチジョブモードと認識する。そして、Ｓ４０７で、前記ジョブ管理部３００ａは、読み取りＮＧジョブを最優先出力順位に設定した上で、プリントスタート要求をプリント制御処理部３００ｄに送出する（再起動）。例えば、図５のジョブ管理テーブルにおいて、ジョブNo.３について特定原稿を検出した場合は、このジョブNo.３を現在プリント中のジョブNo.１の直前に出力優先順位を設定し直す（図５のNo.３’及びNo.１’参照）。そして、Ｓ４０８に進む。これにより読み取りＮＧジョブが最も優先度の高いジョブに設定され、プリンタ部２００から優先的に出力させることができる。なお、この場合においても、読み取りＮＧジョブのうち、検出された特定原稿の原稿データを含む読み取り済みの複数の原稿データを全てプリントさせるものとしても良いし、あるいは検出された特定原稿の原稿データのみを一つのジョブとして新規登録し直すことにより、特定原稿の原稿データのみをプリントさせるものとしてもよい。
【００６３】
Ｓ４０８では、前記ジョブ管理部３００ａは、別の排紙部が存在しているか否かを判定する。別の排紙部が存在していると判定した場合は（Ｓ４０８でＹＥＳ）、Ｓ４０９で、先のカレントプリントジョブと異なる排紙先を設定したあと、Ｓ４１０に進む。このように、複数の排紙部が存在している場合には、検出された特定原稿の原稿データあるいはこれを含む複数の原稿データの出力物を、直前に実行されていたジョブの排紙部とは異なる排紙部に排出することにより、ジョブ同士の出力物の紛れ込みを防止することができる。一方、別の排紙部が設けられていないと判定した場合は（Ｓ４０８でＮＯ）、そのままＳ４１０に進む。
【００６４】
Ｓ４１０では、前記ジョブ管理部３００ａは、ステートを２にセットし、リターンする。
【００６５】
また、上記Ｓ４０１の判定処理において、ステートが２の場合は、Ｓ４１１に進む。
【００６６】
Ｓ４１１では、前記ジョブ管理部３００ａは、読み取りＮＧジョブのプリントジョブ状態情報が、プリントエラーによりプリント停止中であるか否かを判定する。プリントエラー停止中であると判定した場合は（Ｓ４１１でＹＥＳ）、Ｓ４１２で、プリントエラーの要因が、読み取りＮＧジョブについて現在モード設定されている出力用紙サイズに対応するサイズの出力用紙が存在しないことによるもの、即ちペーパエンプティによるものか否かを判定し、ペーパエンプティによるものであると判定した場合は（Ｓ４１２でＹＥＳ）、Ｓ４１３に進む。一方、ペーパエンプティーによるものでないと判定した場合は（Ｓ４１２でＮＯ）、そのままリターンする。
【００６７】
Ｓ４１３では、前記ジョブ管理部３００ａは、読み取りＮＧジョブの出力用紙サイズに関するモードを変更し、次いでＳ４１４で、プリントエラー停止中であるプリントジョブ状態情報を解除し、リターンする。このＳ４１２〜Ｓ４１４の処理により、読み取りＮＧジョブについて現在の設定モードに対応する出力用紙が給紙カセット３０〜３２にセットされていない状態であっても、出力用紙サイズに関する設定モードを取り消し、出力可能な新たな用紙サイズモードに変更することで、特定原稿の原稿データをプリンタ部２００から強制的に出力させることができる。
【００６８】
なお、用紙サイズに関するモードに起因して読み取りＮＧジョブの出力ができなくなっている場合だけでなく、その他のモードに起因して読み取りＮＧジョブの出力ができなくなっている場合であっても、現在のそのモードの一部または全部を取り消して新たなモードに変更することでプリントが可能となる場合は、ジョブ管理部３００ａはそのモードに変更すればよい。従って、この実施形態では、ジョブ管理部３００ａは、読み取りＮＧジョブのモードを解析するモード解析手段としても機能する。
【００６９】
また、前記Ｓ４１１の判定処理において、前記ジョブ管理部３００ａが、読み取りＮＧジョブがプリントエラー停止中でないと判定した場合は（Ｓ４１１でＮＯ）、Ｓ４１５で、特定原稿の原稿データを含むジョブの出力が完了したか否かを判定する。特定原稿の原稿データを含むジョブの出力が完了したと判定した場合は（Ｓ４１５でＹＥＳ）、Ｓ４１６に進む。一方、出力が完了していないと判定した場合は（Ｓ４１５でＮＯ）、そのままリターンする。
【００７０】
Ｓ４１６では、読み取りＮＧジョブに対してプリント停止及びジョブ廃棄要求の扱いとし、プリンタ制御処理部３００ｄ等にその旨を通知したのち、Ｓ４１７で、ステートを元に戻してリターンする。これによれば、特定原稿を含む読み取りＮＧジョブを速やかにプリント停止および廃棄することができるとともに、その後のジョブを自動的に再開することができる。
＜パネル表示／入力処理＞
図９は、前記ＣＰＵ３００のパネル制御処理部３００ｂによるパネル表示／入力処理（図６のＳ００５）のサブルーチンを示すフローチャートである。
【００７１】
Ｓ５０１において、前記パネル制御処理部３００ｂは、ジョブ管理テーブルを常時参照しており、Ｓ５０２で、ジョブ管理テーブル内の読み取りジョブ状態情報およびプリントジョブ状態情報が更新されたか否かを判定する。それらが更新されたと判定した場合は（Ｓ５０２でＹＥＳ）、Ｓ５０３で、更新された読み取りジョブ状態情報およびプリントジョブ状態情報に基づいて操作パネル部４０のＬＣＤ４１の表示を更新する。このとき、ジョブ管理テーブルにおいて、特定原稿の検出による読み取りＮＧジョブが存在する場合は、前記操作パネル部４０のＬＣＤ４１に図４に示すような、特定原稿を検出した旨及びプリントを確認する旨の警告を表示する。なお、この警告は、通常、パネルリセットにより解除されるが、読み取りＮＧジョブが破棄されるまで警告を解除できないように制御を行うものとしてもよい。また、この警告は、図６に示すものに限定されるものでなく、その他の表示により行っても良いで。また、音声による警告であっても良いし、パネル表示による警告と音声警告を併せて行っても良い。この警告により、読み取った原稿が特定原稿であることが簡単かつ確実に認識され、不正コピー者をより迅速に特定することができる。表示の更新後、Ｓ５０４に進む。
【００７２】
一方、Ｓ５０２において、前記ジョブ状態情報が更新されていないと判定した場合は（Ｓ５０３でＮＯ）、そのままＳ５０４に進む。
【００７３】
Ｓ５０４では、前記パネル制御処理部３００ｂは、操作パネル部４０においてキー入力操作がなされたか否かを判定し、キー入力操作がなされと判定した場合は（Ｓ５０４でＹＥＳ）、Ｓ５０５で、キー入力操作の情報をジョブ管理部３００ａに通知したのち、リターンする。これにより新たなジョブ等の設定や起動掛けが行われる。一方、キー入力操作がなされていないと判定した場合は（Ｓ５０４でＮＯ）、そのままリターンする。
＜読み取り制御処理＞
図１０は、前記ＣＰＵ３００の読み取り制御処理部３００ｃによる読み取り制御処理（図６のＳ００６）のサブルーチンを示すフローチャートである。
【００７４】
Ｓ２０１では、前記読み取り制御処理部３００ｃは、読み取り継続中のジョブの有無を判定し、継続中のジョブが無いと判定した場合は（Ｓ２０１でＹＥＳ）、Ｓ２０２に進む。
【００７５】
Ｓ２０２では、前記読み取り制御処理部３００ｃは、ジョブ管理部３００ａから読み取りスタート要求があったか否かを判定し、読み取りスタート要求があったと判定した場合は（Ｓ２０２でＹＥＳ）、Ｓ２０３に進む。一方、読み取りスタート要求がないと判定した場合は（Ｓ２０２でＮＯ）、そのままリターンする。
【００７６】
Ｓ２０３では、前記読み取り制御処理部３００ｃは、イメージリーダ部１００のＣＰＵ１００ａにスキャン要求を送出し、Ｓ２０４に進む。これにより、読み取りスタート要求があった読み取り待ちのジョブに対してイメージリーダ部１００による読み取りが開始される。
【００７７】
Ｓ２０４では、前記読み取り制御処理部３００ｃは、スキャン要求を送出したジョブについて、ジョブ管理部３００ａに対して読み取り状態情報として「スキャン中」を通知し、リターンする。
【００７８】
一方、前記Ｓ２０１の判定処理において、前記読み取り制御処理部３００ｃが、読み取り継続中のジョブが有ると判定した場合は（Ｓ２１０でＮＯ）、次いでＳ２０５で、プリンタ部１００の読み取り動作が終了したか否かを判定し、プリンタ部１００の読み取り動作が終了したと判定した場合は（Ｓ２０５でＹＥＳ）、Ｓ２０６に進む。一方、プリンタ部１００の読み取り動作が終了していないと判定した場合は（Ｓ２０５でＮＯ）、そのままリターンする。
【００７９】
Ｓ２０６では、前記読み取り制御処理部３００ｃは、イメージリーダ部１００から通知される読み取り結果を参照することにより読み取り結果がＯＫであるか否かを判定し、読み取り結果がＯＫであると判定した場合は（Ｓ２０６でＹＥＳ）、Ｓ２０７に進む。
【００８０】
Ｓ２０７では、前記読み取り制御処理部３００ｃは、次の原稿が有るか否かを判定し、次の原稿が有ると判定した場合は（Ｓ２０７でＹＥＳ）、前記処理Ｓ２０３に進み、その原稿についてイメージリーダ部１００のＣＰＵ１００ａに読み取り要求を送出して、次の原稿の読み取りを開始させる。一方、次の原稿が無いと判定した場合は（Ｓ２０７でＮＯ）、Ｓ２０８に進む。これにより、１つのジョブに含まれている複数枚の原稿を順次読み取ることができる。
【００８１】
Ｓ２０８では、前記読み取り制御処理部３００ｃは、読み取り終了と判断し、その読み取りを終了したジョブについて、ジョブ管理部３００ａに対して読み取りジョブ状態情報として「スキャン終了」を通知し、リターンする。
【００８２】
前記Ｓ２０６の判定処理において、前記読み取り制御処理部３００ｃが読み取り結果がＯＫでないと判定した場合は（Ｓ２０６でＮＯ）、Ｓ２０９で、読み取り結果ＮＧの詳細理由が特定原稿検出によるものであるか否かを判定する。この判定は、前記特定原稿検出部１０１からの特定原稿検出情報に基づいて行われる。特定原稿検出によるのであると判定した場合は（Ｓ２０９でＹＥＳ）、Ｓ２１０で、ジョブの中のどの原稿が特定原稿であるかを把握し、その内容をジョブ管理部３００ａに通知したのち、Ｓ２１１に進む。この通知に基づいて、前述したジョブ管理処理において、ジョブ管理部３００ａは、図５の管理テーブルのブラックマークの項目に、どの原稿が特定原稿であるかを書き込む。一方、特定原稿検出によるものでないと判定した場合は（Ｓ２０９でＮＯ）、そのままＳ２１１に進む。
【００８３】
Ｓ２１１では、前記読み取り制御処理部３００ｃは、読み取り動作の停止要求をイメージリーダ部１００のＣＰＵ１００ａに送出し、Ｓ２１２に進む。これにより、特定原稿の検出等により読み取りＮＧとなったジョブの読み取りを速やかに停止させることができる。
【００８４】
Ｓ２１２では、前記読み取り制御処理部３００ｃは、ジョブ管理部３００ａに対して読み取り状態情報として「スキャンエラー停止中」を通知し、リターンする。
＜プリント制御処理＞
図１１は、前記ＣＰＵ３００のプリント制御処理部３００ｄによるプリント制御処理（図６のＳ００７）のサブルーチンを示すフローチャートである。
【００８５】
Ｓ３０１において、前記プリント制御処理部３００ｄは、プリント継続中のジョブの有無を判定する。継続中のジョブが無いと判定した場合は（Ｓ３０１でＹＥＳ）、Ｓ３０２で、ジョブ管理部３００ａからプリントスタート要求があったか否かを判定し、プリントスタート要求があったと判定した場合は（Ｓ３０２でＹＥＳ）、Ｓ３０３に進む。一方、プリントスタート要求がなかったと判定した場合は（Ｓ３０２でＮＯ）、そのままリターンする。
【００８６】
Ｓ３０３では、前記プリント制御処理部３００ｄは、プリンタ部２００に対して次のプリント要求を行える状態、即ちプリント可能な状態にあるか否かを判定し、プリント可能状態であると判定した場合は（Ｓ３０３でＹＥＳ）、Ｓ３０４に進む。
【００８７】
Ｓ３０４では、プリントすべき原稿データがブラックマーク付きであるか否かを判定し、ブラックマーク付きであると判定した場合は（Ｓ３０４でＹＥＳ）、Ｓ３０５に進み、ブラックマークプリント要求をプリンタ部２００のＣＰＵ２００ａに送出したのち、Ｓ３０７に進む。これにより、プリンタ部２００において特定原稿の原稿データをブラックアウトさせた状態で出力させることができる。一方、原稿データがブラックマーク付きでないと判定した場合は（Ｓ３０４でＮＯ）、Ｓ３０６で、通常のプリント要求をプリンタ部２００のＣＰＵ２００ａに送出したのち、Ｓ３０７に進む。
【００８８】
Ｓ３０７では、前記プリント制御処理部３００ｄは、ジョブ管理部３００ａに対して、対応するジョブについてのプリント状態情報として「プリント中」を通知し、リターンする。
【００８９】
また、前記Ｓ３０３の処理において、前記プリント制御処理部３００ｄが、プリント可能状態でないと判定した場合は（Ｓ３０３でＮＯ）、Ｓ３０８で、プリンタ部２００のプリント動作が停止状態であるか否かを判定する。プリント動作が停止状態であると判定した場合は（Ｓ３０８でＹＥＳ）、Ｓ３０９に進む。一方、プリント動作が停止状態でないと判定した場合は（Ｓ３０８でＮＯ）、そのままリターンする。
【００９０】
Ｓ３０９では、前記プリント制御処理部３００ｄは、プリンタ部２００が何らかの理由によりプリント実行できない状態と判断し、そのプリント実行できないジョブについて、前記ジョブ管理部３００ａに対してプリント状態情報として「プリントエラー停止中」を通知し、リターンする。
【００９１】
一方、前記Ｓ３０１の処理において、前記プリント制御処理部３００ｄがプリント継続中のジョブが有ると判定した場合は（Ｓ３０１でＮＯ）、Ｓ３１０で、ジョブ管理部３００ａからの停止要求の有無を判定し、停止要求が無いと判定した場合は（Ｓ３１０でＹＥＳ）、Ｓ３１１に進む。
【００９２】
Ｓ３１１では、前記プリント制御処理部３００ｄは、そのジョブの中の次の原稿データが存在するか否かを判定し、次の原稿データが存在すると判定した場合は（Ｓ３１１でＹＥＳ）、前記Ｓ３０３の処理に進む。一方、次の原稿データが存在しないと判定した場合は（Ｓ３１１でＮＯ）、Ｓ３１２に進む。
【００９３】
Ｓ３１２では、前記プリント制御処理部３００ｄは、ジョブのプリントが終了したものと判断し、そのジョブについてジョブ管理部３００ａに対してプリント状態情報として「プリント終了」を通知し、リターンする。
【００９４】
また、前記Ｓ３１０の処理において、前記プリント制御処理部３００ｄが、ジョブ管理部から停止要求があると判定した場合は（Ｓ３１０でＮＯ）、Ｓ３１３で、プリンタ部２００のＣＰＵ２００ａにプリント停止要求を送出し、Ｓ３１４に進む。このプリント停止要求により、プリンタ２００はプリント動作を停止する。
【００９５】
Ｓ３１４では、前記プリント制御処理部３００ｄは、プリント動作が停止しているか否かを判定し、プリント動作が停止していると判定した場合は（Ｓ３１４でＹＥＳ）、Ｓ３１５に進む。一方、プリント動作が停止していないと判定した場合は（Ｓ３１４でＮＯ）、そのままリターンし、停止するのを待つ。
【００９６】
Ｓ３１５では、前記プリント制御処理部３００ｄは、ジョブのプリントが完了しているか否かを判定し、ジョブのプリントが完了していると判定した場合は（Ｓ３１５でＹＥＳ）、前記処理Ｓ３１２に進む。一方、ジョブのプリントが完了していないと判定した場合は（Ｓ３１５でＮＯ）、Ｓ３１６で、ジョブ管理部３００ａに対してそのジョブについてのプリント状態情報として「プリント停止中」を通知し、リターンする。
【００９７】
読み取りＮＧジョブが発生すると、ジョブ管理部３００ａは、図８に示した読み取りＮＧジョブ発生時のプリントジョブ管理処理におけるＳ４０２の処理により、プリント停止要求を送出する。これを受けて、プリント制御処理部３００ｄは、Ｓ３１３でプリント停止要求を送出し、プリンタ部２００によるプリント動作を停止させる。
【００９８】
また、同じく図８に示した読み取りＮＧジョブ発生時のプリントジョブ管理処理におけるＳ４０６、Ｓ４０７の処理により、読み取りＮＧジョブが発生すると、このジョブが、シングルジョブモードの時はそのまま再起動され、マルチジョブモードの時は最優先のプリント待ちジョブとして再起動されるから、このジョブに含まれる原稿データが、Ｓ３０１〜Ｓ３０７、Ｓ３１０およびＳ３１１の処理によりプリンタ部２００から優先的に出力されるとともに、特定原稿の原稿データがブラックアウトされた状態で出力される。従って、不正コピーが行われた場合に不正コピーの事実を迅速に把握できると共に、不正コピー者を迅速に特定することができる。また、画像形成装置メーカにとって必要不可欠なブラックアウト等された出力物の回収を速やかに実現することができる。さらに、不正コピーを行っていない者は、不正コピーをしていないことを速やかに証明することができる。
【００９９】
さらに、この実施形態では、図９のパネル表示／入力処理におけるＳ５０３の表示更新処理により、読み取りＮＧジョブが発生するとＬＣＤ４１に警告がなされるので、不正コピーの事実の把握、不正コピー者の特定をより確実に行うことができる。
【０１００】
また、図１０の読み取り制御処理におけるＳ２０９の処理により、特定原稿であると判定されると、同図Ｓ２１１の処理により、読み取り停止要求が送出されてイメージリーダ部１００による読み取り動作が停止される。従って、特定原稿の次の原稿の読み取りは行われていないから、プリント時において、この特定原稿の原稿データのプリントが終了すると、読み取りＮＧジョブについてのプリントは速やかに停止されることになる。そして、図１１のＳ３０１、Ｓ３０２の処理により、プリントが中断されていた直前のジョブのプリントが自動再開されるから、このジョブのユーザが、そのジョブの出力物の入手を長く待たされることもない。
【０１０１】
以上この発明の一実施形態を説明したが、この発明はこの実施形態に限定されるものではない。例えば、特定原稿であると判定された場合に、特定原稿の原稿データに対してブラックアウト処理を行ってプリンタ部２００から出力させるものとしたが、特定原稿の原稿データに対して実施する加工はこれに限定されることはなく、他の色で塗りつぶして出力したり、特定のマークを付加して出力したり、画像を縮小して出力したり、あるいは解像度を変更して出力するものであってもよい。
【０１０２】
また、特定原稿が、紙幣や有価証券等のコピー禁止原稿である場合を示したが、特定原稿を何にするかは適宜設定すれば良く、読み取った原稿の内容が設定した特定原稿に該当するか否かを検出することにより、原稿内容の適否を判定すれば良い。
【０１０３】
また、原稿データの内容について適正か否かを判定するのではなく、原稿データに対して、設定されているモードが適正であるか否かを判定し、設定されているモードが適正でない場合は、その原稿データを優先的に出力するものとしてもよい。例えば、原稿を読み取った結果、その原稿データがモノクロ原稿のデータであるにもかかわらず、モードが「カラーモード」に設定されていたような場合には、この原稿データを優先的に出力させることにより、ユーザは「カラーモード」設定になっていることを即座に判断することができる。なお、この場合、モードが適正でないと判断された前記原稿データに対しモードが適正でないことを示す加工を施した状態で出力させても良いし、加工を施すことなく、そのまま出力させても良い。
【０１０４】
また、読み取りＮＧジョブが発生したときに、プリンタ部２００がプリント動作中であれば、そのプリント動作を停止させて、読み取りＮＧジョブに係る原稿データを優先的に出力させるものとしたが、継続中のプリント動作の終了後に出力させるものとしても良い。
【０１０５】
また、シングルジョブモード及びマルチジョブモードの両方で動作可能な複写機で説明したが、シングルジョブモードのみで動作可能な複写機であっても良い。
【０１０６】
また、画像形成装置が複写機である場合を示したが、パーソナルコンピュータ等から送られてきた原稿データを入力手段を介して入力可能なプリンタ装置等、その他の画像形成装置に適用してもよい。
【０１０７】
また、特定原稿検出部１０１をイメージリーダ部１００に設けたが、ＣＰＵ３００で特定原稿の検出を行うものとしても良い。
【０１０８】
【発明の効果】
この発明によれば、設定されているモードや原稿データの内容が適正でないと判定された場合に、その原稿データまたはその原稿データを少なくとも含む複数の原稿データが出力待ちの原稿データまたはジョブよりも優先的に出力されるので、ユーザは、入力された原稿データに対して、設定モードが適正か否かを迅速に判断することができる。また、不正コピー等が行われた場合にその事実や不正者を迅速に把握特定することができる。
【０１０９】
請求項４に係る発明によれば、設定モードや原稿データの内容が適正でないと判定された場合、その原稿データに対して所定の加工を施した状態で優先的に出力するので、設定モードが適正か否かの判断や不正者の特定等をより簡単かつ迅速に行うことができる。
【０１１０】
請求項５に係る発明によれば、適正でないと判定された原稿データを出力するにあたって、出力手段による既に行われている出力動作を停止させて、対応原稿データを優先的に出力させるので、ユーザは前記原稿データの出力物をより迅速に入手でき、モードの適正判断や不正者の特定をさらに迅速に行うことができる。
【０１１１】
請求項６に係る発明によれば、判定手段により適正でないと判定されると、原稿データの優先出力とともに、警告もなされることから、ユーザは、モードの適正判断や不正者の特定をより確実に行うことができる。
【図面の簡単な説明】
【図１】この発明の一実施形態に係る複写機の全体構成図である。
【図２】図１の複写機の操作パネル部の正面図である。
【図３】図１の複写機の制御ユニットを示すブロック図である。
【図４】操作パネル部のＬＣＤにおける警告画面を示す図である。
【図５】ジョブ管理テーブルを示す図である。
【図６】複写機の全体制御処理のメインルーチンを示すフローチャートである。
【図７】ジョブ管理処理のサブルーチンを示すフローチャートである。
【図８】図７のジョブ管理処理における読み取りＮＧジョブ発生時のプリントジョブ管理処理のサブルーチンを示すフローチャートである。
【図９】パネル表示／入力処理のサブルーチンを示すフローチャートである。
【図１０】読み取り制御処理のサブルーチンを示すフローチャートである。
【図１１】プリント制御処理のサブルーチンを示すフローチャートである。
【符号の説明】
４０・・・・・・操作パネル部
１００・・・・・イメージリーダ部（入力手段）
３０８・・・・・ネットワークＩＦ処理部（入力手段）
１０１・・・・・特定原稿検出部
２００・・・・・プリンタ部（出力手段）
３００・・・・・ＣＰＵ（判定手段、優先出力制御手段）
３００ａ・・・・ジョブ管理部
３００ｂ・・・・パネル制御処理部
３００ｃ・・・・読み取り制御処理部
３００ｄ・・・・プリント制御処理部
【図１】
0003948310.tif 000002
【図２】
0003948310.tif 000003
【図３】
0003948310.tif 000004
【図４】
0003948310.tif 000005
【図５】
0003948310.tif 000006
【図６】
0003948310.tif 000007
【図７】
0003948310.tif 000008
【図８】
0003948310.tif 000009
【図９】
0003948310.tif 000010
【図１０】
0003948310.tif 000011
【図１１】
0003948310.tif 000012